(57)【特許請求の範囲】
【請求項１】
グリル庫の内部又は外部に配置した前後方向に長手の左右一対の固定レールを有する支持体と、両固定レールに前後方向に移動自在に支持される左右一対の可動レールを有するスライド体とを備え、スライド体の前後動に連動してグリル庫にグリル皿が出し入れされるようにしたグリルにおいて、
支持体は、各固定レールの前端寄りの１箇所の取付部において、当該取付部を支点にした支持体の後上りの傾動が許容されるように取付けられ、
支持体が後上りに所定角度傾動したところで支持体の後端部に当接してそれ以上支持体が後上りに傾動することを制限するストッパ部材を備え、
更に、各固定レールの前記取付部を支点にした横方向の傾動も許容されることを特徴とするグリル。
【請求項２】
前記支持体は、前記一対の固定レールと、これら固定レールの後端間に横設されて、各固定レールの捩れを防止する連結部材とを有し、連結部材は、各固定レールに横方向の動きの自由度を持つように連結されることを特徴とする請求項１記載のグリル。
【請求項３】
グリル庫の内部又は外部に配置した前後方向に長手の左右一対の固定レールを有する支持体と、両固定レールに前後方向に移動自在に支持される左右一対の可動レールを有するスライド体とを備え、スライド体の前後動に連動してグリル庫にグリル皿が出し入れされるようにしたグリルにおいて、
支持体は、各固定レールの前端寄りの１箇所の取付部において、当該取付部を支点にした支持体の後上りの傾動が許容されるように取付けられ、
支持体が後上りに所定角度傾動したところで支持体の後端部に当接してそれ以上支持体が後上りに傾動することを制限するストッパ部材を備えると共に、
グリル庫の前面開口の周縁部を覆う額縁状の窓枠がグリル庫に前方から取り付けられ、
各固定レールの前記取付部は、グリル庫の前面開口の周縁部の一部に形成した受片と窓枠の一部に形成した押え片との間に挟持されて、グリル庫に前方から着脱自在に取付けられることを特徴とするグリル。
【発明の詳細な説明】
【技術分野】
【０００１】
本発明は、グリル庫に出し入れ自在なグリル皿を備えるグリルに関する。
【背景技術】
【０００２】
従来、この種のグリルとして、グリル庫の内部又は外部に配置した前後方向に長手の左右一対の固定レールを有する支持体と、両固定レールに前後方向に移動自在に支持される左右一対の可動レールを有するスライド体とを備え、スライド体の前後動に連動してグリル庫にグリル皿が出し入れされるようにしたものは知られている（例えば、特許文献１，２，３参照）。これによれば、グリル皿をスムーズに出し入れできるようになり、商品性が向上する。尚、固定レールに対する可動レールの支持方式には、特許文献１に記載の如く、固定レールに可動レールを直接的に支持させる直接支持方式と、特許文献２，３に記載の如く、固定レールに支持される中間レールを設けて、可動レールを中間レールを介して固定レールに支持させる間接支持方式とがある。
【０００３】
ところで、グリル皿を引き出しての清掃時等にグリル皿やスライド体の前端に取付けるグリル扉を手で下方に押す等してスライド体に大きな荷重を掛けてしまうことがある。ここで、グリル皿を引き出すと、固定レールの前部のみで可動レール（間接支持方式では中間レール）が支持される状態になり、スライド体に荷重が掛ると、固定レールの前部に可動レール（間接支持方式では可動レール及び中間レール）を介して曲げモーメントが作用する。ここで、従来は、固定レールを前後複数箇所で固定し、固定レールが不動となるようにしている。そのため、固定レールの前部に曲げモーメントが作用すると、固定レールの前部での応力集中を生じて、固定レールが変形することがある。
【先行技術文献】
【特許文献】
【０００４】
【特許文献１】特開２００８−３０２０５８号公報
【特許文献２】特開２００４−２６３８９９号公報
【特許文献３】特開２０１０−３２１６５号公報
【発明の概要】
【発明が解決しようとする課題】
【０００５】
本発明は、以上の点に鑑み、スライド体に荷重が掛ったときの固定レールの変形を防止できるようにしたグリルを提供することをその課題としている。
【課題を解決するための手段】
【０００６】
上記課題を解決するために、本発明は、グリル庫の内部又は外部に配置した前後方向に長手の左右一対の固定レールを有する支持体と、両固定レールに前後方向に移動自在に支持される左右一対の可動レールを有するスライド体とを備え、スライド体の前後動に連動してグリル庫にグリル皿が出し入れされるようにしたグリルにおいて、支持体は、各固定レールの前端寄りの１箇所の取付部において、当該取付部を支点にした支持体の後上りの傾動が許容されるように取付けられ、支持体が後上りに所定角度傾動したところで支持体の後端部に当接してそれ以上支持体が後上りに傾動することを制限するストッパ部材を備えることを特徴とする。
【０００７】
本発明によれば、グリル皿を引き出した状態でスライド体に荷重が掛り、固定レールの前部に可動レールを介して曲げモーメントが作用すると、固定レールの取付部を支点にして支持体が後上りに傾動する。そして、支持体が後上りに所定角度傾動すると、支持体の後端部がストッパ部材に当接し、曲げモーメントをストッパ部材で受けられるようになる。そのため、曲げモーメントによる応力が取付部とストッパ部材との間の固定レールのほぼ全長に亘り分散して作用する。その結果、固定レールの前部での応力集中を生じず、固定レールの変形が有効に防止される。
【０００８】
また、本発明においては、グリル皿を引き出したときに、グリル皿及びスライド体の前端に取付けるグリル扉を含むスライド体の自重によって、支持体が取付部を支点にして後上りに傾動することが望ましい。ここで、グリル皿の出し入れに際し、グリル扉の把手部を上方から押さえ気味に操作する人が多くいる。このような人にとっては、支持体が上記の如く後上がりに傾動することで、グリル皿の出し入れの操作感がスムーズになる。尚、グリル扉の把手部を持ち上げ気味に操作する人もいるが、グリル皿を引き出した状態で把手部を持ち上げれば、これに追従して支持体が水平姿勢に復帰するため、操作感が損なわれることはない。
【０００９】
ところで、一対の可動レールの平行度の狂いで、両可動レール間の間隔が後方に向かって狭くなることがある。この場合、固定レールに対し可動レールが自己の弾性復元力により横方向に押圧された状態で接触し、スライド体の後方への移動で固定レールに対する可動レールの接触長さが増加するのに伴い、横方向押圧力による摩擦抵抗が増加して、グリル皿の出し入れのスムーズさが損なわれてしまう。
【００１０】
そのため、本発明においては、各固定レールの取付部を支点にした横方向の傾動も許容されるようにすることが望ましい。これによれば、一対の可動レールの平行度の狂いで、固定レールに対し可動レールが横方向に押圧された状態で接触しても、スライド体を後方に移動させたときに、固定レールが可動レールからの横方向押圧力を受けて横方向に傾動する。そのため、横方向押圧力による摩擦抵抗の増加が抑えられ、グリル皿の出し入れのスムーズさを確保することができる。
【００１１】
尚、各固定レールを前端寄りの１箇所の取付部だけで取付けると、固定レールの捩れを生じ易くなる。そのため、支持体は、一対の固定レールと、これら固定レールの後端間に横設されて、各固定レールの捩れを防止する連結部材とを有することが望ましい。この場合、連結部材が、各固定レールに横方向の動きの自由度を持つように連結されれば、連結部材を設けても、各固定レールの取付部を支点にした横方向の傾動が許容され、上述した効果が得られる。
【００１２】
また、従来は、各固定レールを前後複数箇所でグリル庫に取付けているため、固定レールを取外すことが困難で、固定レールのメンテナンスが面倒になる。これに対し、本発明では、各固定レールをその前端寄りの１箇所の取付部だけで取付けているため、固定レールの取外しが容易になる。特に、本発明において、各固定レールの取付部が、グリル庫に前方から着脱自在に取付けられるようにすれば、グリル庫の前方からの操作で簡単に支持体を取外すことができ、メンテナンスが容易になる。
【００１３】
尚、固定レールの取付部をグリル庫に前方から着脱自在に取付ける手法としては、取付部をグリル庫の前部に前方から締結することが考えられるが、これでは、取付部の締結作業が必要になる。ここで、グリルでは、一般的に、グリル庫の前面開口の周縁部を覆う額縁状の窓枠がグリル庫に前方から取付けられる。この場合、グリル庫の前面開口の周縁部の一部に形成した受片と窓枠の一部に形成した押え片との間に各固定レールの取付部が挟持されるようにすれば、取付部の締結作業が不要になり、組立工数の削減によるコストダウンを図ることができる。また、窓枠を取外すことで各固定レールの挟持が解除されて、支持体を簡単に取外すことができる。
【図面の簡単な説明】
【００１４】
【図１】本発明の実施形態のグリルのグリル皿を引き出した状態の斜視図。
【図２】実施形態のグリルのグリル皿収納状態での切断正面図。
【図３】図２のＩＩＩ−ＩＩＩ線で切断した断面図。
【図４】実施形態のグリルに設けられた支持体及びスライド体の斜視図。
【図５】図４の支持体及びスライド体の分解状態の斜視図。
【図６】実施形態のグリルの要部の一部切断側面図。
【図７】図６のＶＩＩ−ＶＩＩ線で切断した断面図。
【図８】図６のＶＩＩＩ−ＶＩＩＩ線で切断した拡大断面図。
【発明を実施するための形態】
【００１５】
図１を参照して、Ａは、図示省略したガスコンロに組み込む本発明の実施形態のグリルを示している。このグリルＡは、コンロ本体（図示せず）内に設置されるグリル庫１を備えている。グリル庫１の後端部には、排気ダクト１１が取付けられている。また、グリル庫１内には、図２、図３に示す如く、グリル皿２が収納されている。グリル皿２には、焼き網２１がその前後に垂設した脚片部２１ａを介して載置されている。
【００１６】
グリル庫１の天井部には、上火バーナ３が装着され、更に、上火バーナ３を覆うようにして遮熱カバー１２が設けられている。上火バーナ３には、その後部に設けた混合管３１から混合気が供給され、点火プラグ３２により上火バーナ３に点火される。また、グリル庫１の左右の各側壁部に、焼き網２１とグリル皿２との間に位置させて、横方向内方に凹入する凹入部１３を形成し、凹入部１３内に、凹入部１３の横方向内方の面に設けた窓部１３ａに臨ませて下火バーナ４を配置している。下火バーナ４には、その後部に設けた混合管４１から混合気が供給され、点火プラグ４２により下火バーナ４に点火される。そして、焼き網２１上の調理物を上火バーナ３と下火バーナ４とにより上下から焼成できるようにしている。
【００１７】
また、グリル庫１の前面開口の周縁部を覆う額縁状の窓枠１４を設けて、この窓枠１４をグリル庫１に前方から取り付けている。そして、グリル庫１の前面開口を閉じるグリル扉５が窓枠１４に前方から当接するようにしている。尚、窓枠１４の下辺部には、爪片１４１が形成されており、この爪片１４１をグリル庫１の底板前縁部に形成した係止孔に係合させた状態で、窓枠１４の上部をグリル庫１に前方から締結している。
【００１８】
グリル庫１の内部下方には、前後方向に長手の左右一対の固定レール６１，６１を有する支持体６が配置されている。また、両固定レール６１，６１に前後方向に移動自在に支持される左右一対の可動レール７１，７１を有するスライド体７を設け、スライド体７の前後動に連動してグリル庫１にグリル皿２が出し入れされるようにしている。
【００１９】
図４、図５を参照して、スライド体７は、前記一対の可動レール７１，７１と、両可動レール７１，７１の前端間の横棒部７２と、横棒部７２の前面に固定した、グリル扉５を取付ける扉取付枠７３と、グリル皿２を支持する左右一対の皿支持枠７４，７４とを有している。両可動レール７１，７１と横棒部７２は１本の棒材を折り曲げて形成される。即ち、棒材を横棒部７２の左右両端部で後方に屈曲させて、両可動レール７１，７１を形成している。また、各可動レール７１の後端寄りの部分には、横方向内方に突出するピン７１１が植設されている。各皿支持枠７４の後端部には、前向きに開口するコ字状のフック部７４１が形成されている。そして、このフック部７４１を、ピン７１１の外周面に形成した溝７１２に後方から係合させた状態で、各皿支持枠７４の前端部を横棒部７２に連結している。尚、各可動レール７１と各皿支持枠７４との間には、固定レール６１に対する干渉を回避する隙間が確保される。
【００２０】
グリル扉５の把手部５１に下方から指をかけて前方に引くと、スライド体７が固定レール６１に案内されて前方に移動し、スライド体７と一緒にグリル皿２がグリル庫１の前方に引き出される。また、グリル扉５を後方に押せば、スライド体７が固定レール６１に案内されて後方に移動し、スライド体７と一緒にグリル皿２がグリル庫１内に収納される。
【００２１】
支持体６は、前記一対の固定レール６１，６１と、これら固定レール６１，６１の後端間に横設した連結部材６２とを有している。各固定レール６１は、断面コ字状の外側レール６３と、この外側レール６３に内装される断面コ字状の内側レール６４とで構成されており、外側レール６３と内側レール６４との間に確保される隙間に可動レール７１が前後方向に摺動自在に挿入される。外側レール６３の横方向内方の側面には、各可動レール７１に植設したピン７１１を挿通する前後方向に長手のガイド孔６３１が形成されている。そして、ガイド孔６３１の前端へのピン７１１の当接でスライド体７（可動レール７１）の前進ストローク端位置が規制されるようにしている。
【００２２】
尚、各固定レール６１に直動式のボールベアリングを装着し、各可動レール７１をボールベアリングを介して各固定レール６１に前後動自在に支持することも可能であるが、これではコスト高になる。そこで、本実施形態では、可動レール７１が固定レール６１に直接接触して摺動自在に支持されるようにしている。この場合、固定レール７１をステンレス製、可動レール７１をメッキ仕様とすれば、摺動部のグリス切れを生じても、スティックスリップ現象（摺動途中で引っ掛かったり滑ったりを繰り返すこと）が起こりにくくなる。
【００２３】
各固定レール６１は、図２に示す如く、グリル庫１の底板上の左右の各側部に設置した前後方向に長手の受台１５上に載置される。そして、支持体６を、各固定レール６の前端寄りの１箇所の取付部６１ａにおいて、当該取付部６１ａを支点にした後上りの傾動が許容されるようにグリル庫１に取付けている。
【００２４】
具体的には、各固定レール６１の外側レール６３の前端に、横方向外方に屈曲する舌片状の取付部６１ａを形成している。また、グリル庫１の前面開口の周縁部の一部、即ち、グリル庫１の側壁部の前縁下部に、図６、図７に示す如く、取付部６１ａを受け入れる凹欠部１６ａを形成して、凹欠部１６ａの後端部に横方向外方に屈曲する舌片状の受片１６を曲成している。更に、窓枠１４の左右の各側部の下部に、受片１６の前面に対向する押え片１４２を形成している。そして、受片１６と押え片１４２との間に取付部６１ａが挟持されるようにしている。尚、本実施形態において、押え片１４２は、取付部６１ａの下部の横方向一部のみに当接している。従って、各固定レール６１は、取付部６１ａを支点にして後上り及び横方向内方に傾動し易くなる。そして、スライド体７を前進ストローク端位置に移動させてグリル皿２を引き出したとき、グリル皿２及びグリル扉５を含むスライド体７の自重で支持体６（固定レール６１）が後上りに傾動するようにしている。
【００２５】
グリル庫１の後端部には、排気ダクト１１の下方に位置させて、図３、図６に示す如く、支持体６の後端部を受け入れるストッパ部材１７が設けられている。ストッパ部材１７は、支持体６の後端部上面、即ち、固定レール６１の後端部上面及び連結部材６２の上面に対し隙間を存して対向する上板部１７１を備えている。そして、支持体６が取付部６１ａを支点にして後上りに所定角度傾動したところで、連結部材６２の上面に形成した凸部６２１が上板部１７１に当接して、支持体６のそれ以上の後上りの傾動が制限されるようにしている。
【００２６】
尚、ストッパ部材１７は、図３に示す如く、上板部１７１の前端の立ち上り部１７２の上端に曲成したフランジ部１７３において排気ダクト１１の下面の一部に形成した下方への膨出部１１１に締結される。また、図６に示す如く、立ち上り部１７２の左右各側の側板部１７４においてグリル庫１の左右各側の側壁部に締結される。更に、図１、図２に示す如く、上板部１７１の左右の各側縁の後端部に横方向外方に張り出す張り出し部１７５を形成すると共に、グリル庫１の側壁部の後端部に張り出し部１７５を受ける受部１８を曲成し、この受部１８に張り出し部１７５を締結している。
【００２７】
連結部材６２は、各固定レール６１に横方向の動きの自由度を持つように連結される。具体的には、図５、図８に示す如く、連結部材６２の左右の各端部に、第１の孔６２２とこれよりも横方向内方に位置する第２の孔６２３とを形成している。そして、第１の孔６２２に挿通される段付きねじ６２４を固定レール６１の外側レール６３の後端に形成したねじ孔６３２に螺合させて、固定レール６１の後端に連結部材６２を連結している。また、固定レール６１の外側レール６３の後端に、横方向内方にのびて後方に屈曲する爪部６３３を形成し、この爪部６３３を第２の孔６２３に係合させて、固定レール６１の捩れを防止している。ここで、第１の孔６２２は、これに挿通される段付きねじ６２４の軸部との間に横方向の遊びを有するように形成され、第２の孔６２３も、これに係合する爪部６３３との間に横方向の遊びを有するように形成される。従って、連結部材６２が各固定レール６１に横方向の動きの自由度を持つように連結されることになる。その結果、連結部材６２を設けても、各固定レール６１の取付部６１ａを支点にした横方向内方への傾動が許容される。
【００２８】
本実施形態によれば、スライド体７を前進ストローク端位置に移動させて、グリル皿２をグリル庫１の前方に引き出すと、支持体６が取付部６１ａを支点にして後上りに傾動し、支持体６の後端部（連結部材６２の上面の凸部６２１）がストッパ部材１７に当接する。この状態で、グリル皿２やグリル扉５を手で下方に押す等してスライド体７に大きな荷重が掛かると、固定レール６１の前部に可動レール７１を介して大きな曲げモーメントが作用するが、この曲げモーメントは支持体６の後端部に当接するストッパ部材１７で受けられる。そのため、曲げモーメントによる応力が取付部６１ａとストッパ部材１７との間の固定レール６１の全長に亘り分散して作用する。その結果、固定レール６１の前部での応力集中を生じず、固定レール６１の変形が有効に防止される。
【００２９】
また、グリル皿２を引き出した状態で支持体６が後上りに傾動することは以下の利点もある。即ち、グリル皿２の出し入れに際し、グリル扉５の把手部５１を上方から押さえ気味に操作する人が多くおり、このような人にとっては、支持体６が上記の如く後上がりに傾動することで、グリル皿２の出し入れの操作感がスムーズになる。尚、グリル扉５の把手部５１を持ち上げ気味に操作する人もいるが、グリル皿２を引き出した状態で把手部５１を持ち上げれば、これに追従して支持体６が水平姿勢に復帰するため、操作感が損なわれることはない。
【００３０】
ところで、横棒部７２の両端部を後方に屈曲させて一対の可動レール７１，７１を形成する際、スプリングバックを考慮して、横棒部７２に対する角度が９０°より多少小さな鋭角になるように可動レール７１を屈曲させる。そのため、スプリッグバック量が少ないと、両可動レール７１，７１が平行にならず、両可動レール７１，７１間の間隔が後方に向かって狭くなることがある。この場合、固定レール６１に対し可動レール７１が自己の弾性復元力により横方向内方に押圧された状態で接触する。そして、固定レール６１が横方向に不動であると、スライド体７の後方への移動で固定レール６１に対する可動レール７１の接触長さが増加するのに伴い、横方向押圧力による摩擦抵抗が増加して、グリル皿２の出し入れのスムーズさが損なわれてしまう。
【００３１】
一方、本実施形態では、取付部６１ａを支点にした固定レール６１の横方向内方への傾動が許容されるため、固定レール６１に対し可動レール７１が横方向内方に押圧された状態で接触しても、スライド体７を後方に移動させたときに、固定レール６１が可動レール７１からの横方向押圧力を受けて横方向内方に傾動する。その結果、横方向押圧力による摩擦抵抗の増加が抑えられ、グリル皿２の出し入れのスムーズさを確保することができる。
【００３２】
ここで、固定レール６１の横方向外方への傾動は、固定レール６１がグリル庫１の側壁部に当接するため許容されず、両可動レール７１，７１間の間隔が後方に向かって広くなる場合には対処できない。そのため、両可動レール７１，７１の形成に際し、横棒部７２に対する可動レール７１の屈曲角度を、スプリングバック量が大きくなっても、両可動レール７１，７１間の間隔が後方に向かって広くなることがないように設定している。尚、グリル庫１の側壁部と固定レール６１との間に隙間を空けて、固定レール６１の横方向外方への傾動も許容されるようにし、或いは、内側レール６４を外側レール６３の前部のみに設けて、両可動レール７１，７１間の間隔が後方に向かって広くなった場合の摩擦抵抗の増加を抑制することも可能である。
【００３３】
また、グリルをある程度使用すると、固定レール６１及び可動レール７１が汚れて摺動性が悪くなる。この場合、支持体６をグリル庫１から取出して、固定レール６１の清掃等のメンテナンスを行うことが必要になる。ここで、固定レール６１が前後複数箇所でグリル庫１に取付けられていると、固定レール６１の取外しが困難になって、メンテナンスが面倒になる。これに対し、本実施形態では、窓枠１４をグリル庫１の前面から取外すと、窓枠１４に形成した押え片１４２による取付部６１ａの挟持が解除され、支持体６をグリル庫１から取出すことができる。このように支持体６の取外しが簡単になるため、メンテナンス性が向上する。
【００３４】
尚、メンテナンス性を向上させるには、取付部６１ａがグリル庫１に前方から着脱自在に取付けられていればよく、本実施形態以外の例として、グリル庫１に形成した受片１６に取付部６１ａを前方からねじで締結することが考えられる。然し、これでは、組立に際し、取付部６１ａの締結作業が必要になる。これに対し、本実施形態では、取付部６１ａの締結作業が不要になり、組立工数の削減によるコストダウンを図ることができて有利である。
【００３５】
以上、本発明の実施形態について図面を参照して説明したが、本発明はこれに限定されない。例えば、上記実施形態では、可動レール７１を固定レール６１に直接的に支持させる直接支持方式を採用しているが、固定レールに前後方向に移動自在に支持される中間レールを設け、この中間レールに可動レールを前後方向に移動自在に支持させる方式、即ち、可動レールを中間レールを介して固定レールに支持させる間接支持方式を採用することも可能である。ここで、取付部６１ａを設ける固定レール６１の前端寄りの箇所は、直接支持方式の場合、スライド体７を前進ストローク端位置に移動させた状態で可動レール７１の後端よりも前方に位置する箇所であればよく、間接支持方式の場合は、スライド体の前進ストローク端位置で中間レールの後端よりも前方に位置する箇所であればよい。
【００３６】
また、上記実施形態では、グリル庫１の内部に固定レール６１を配置しているが、グリル庫の外部に固定レールを配置することも可能である。この場合、コンロ本体に固定のブラケットに固定レールの前端寄りの箇所に設けた取付部を取付け、また、支持体の後上りの傾動を制限するストッパ部材をコンロ本体に固定してもよい。また、上記実施形態は、ガスコンロに組み込むグリルに本発明を適用したものであるが、ガスコンロに組み込まずに独立して設けられるグリルにも同様に本発明を適用できる。
【符号の説明】
【００３７】
Ａ…グリル、１…グリル庫、１４…窓枠、１４２…押え片、１６…受片、１７…ストッパ部材、２…グリル皿、５…グリル扉、６…支持体、６１…固定レール、６１ａ…取付部、６２…連結部材、７…スライド体、７１…可動レール。
【図１】
0005504151.tif 000002
【図２】
0005504151.tif 000003
【図３】
0005504151.tif 000004
【図４】
0005504151.tif 000005
【図５】
0005504151.tif 000006
【図６】
0005504151.tif 000007
【図７】
0005504151.tif 000008
【図８】
0005504151.tif 000009